(57)【特許請求の範囲】
【請求項１】
掲揚ポールの上部側に滑車を備えた昇降ロープ吊下げ具を取り付け、前記滑車に架け渡した昇降ロープを用いて旗類を掲揚する治具であって、所定の長さを有する縦杆と、縦杆の左右両側面上部に取り付けられ、縦杆よりも掲揚ポール側に延出する一対の昇降ロープ挟持板と、縦杆の下部側に取り付けられた昇降ロープ案内具と、縦杆の上部に取り付けられ、前記昇降ロープ挟持板とは反対側へ延出する水平杆と、縦杆の上下方向数カ所に取り付けられたロープ固定用の係止部材とで構成したことを特徴とする旗類の掲揚治具。
【請求項２】
旗類が掲揚された状態において、前記旗類の掲揚治具の上端面と、掲揚ポールの上部側に取り付けられた滑車を備えた昇降ロープ吊下げ具の下端面とが当接するようになっている前記請求項１に記載の旗類の掲揚治具。
【発明の詳細な説明】
【技術分野】
【０００１】
本発明は、国旗や大会旗、社旗等の旗類をポールへ掲揚するための治具に関し、風が弱かったり、無風状態であっても、旗類が展延された状態でその全体を見ることができ、しかも安価に提供することができる簡単な構成の治具に関するものである。
【背景技術】
【０００２】
従来において、風が弱かったり、無風状態であってもポールへ掲揚した旗類の全面が見えるようにした技術はある。
特許文献１に記載された技術は、基台に立設したポールの側面に沿って張設されたロープに旗の一片を係止し、当該ポールの両側に、エアー配管を配設し、エアー配管のエアー放出口を、それぞれ旗の両サイドに向くように位置させている。そして、ロープに係止された旗の一片の下部から旗の略中心方向に向けて、前記エアー配管の放出口から所定の風速にてエアーを吹き付け、強制的に旗がなびくようにしている。
【０００３】
一方、特許文献２に記載された技術は、旗類の四辺のうち上辺とそれに隣合う基辺側（ポール側）の縦辺に、差込袋状部分を設けている。そして、この隣り合う差込袋状部分に、Ｌ形に形成した弾性線条材を挿し込むことで、旗の上辺とポール側の縦辺の心材を形成し、無風状態であっても旗が垂下らないようにしている。前記弾性線条材は、Ｌ形の中間の折り曲げ部分にコイル状の部分を設け、旗の上辺と縦辺の差込袋状部分へ差し込むときに、Ｌ字状の弾性線条材が略平行になるように折り曲げ、挿し込み易くしている。
【先行技術文献】
【特許文献】
【０００４】
【特許文献１】特開２００２−１６９４９５号公報
【特許文献２】特開２０１１−１４５６３３号公報
【発明の概要】
【発明が解決しようとする課題】
【０００５】
前記特許文献１に示す技術では、風が弱いときや無風状態でもエアーを吹き付けてエアーの流れ（風）を起こし、旗を強制的になびかせるものである。そのため、ポールの両サイドにエアー配管を立設しなければならず、ポールとは別個のエアー配管がポールの全長に亘って見え、違和感を感じ、全体の見栄えが悪くなるという欠点があった。
また絶えず、エアーを吹き付ける必要があり、コンプレッサー等の大掛かりな装置を準備しなければならないことと、旗を掲揚している間中、連続して駆動させなければならず、イニシャルコスト及びランニングコストが高くなるという問題があった。
更には、コンプレッサーの駆動音やエアーの吹出し音が騒音の原因になるという問題もあった。
【０００６】
一方、特許文献２に示す技術では、旗の上辺とポール側の縦辺とに差込袋状部分を設けてこれにＬ字状の弾性線条材を挿し込んで旗が展延した状態になるようにしている。前記Ｌ字状の弾性線条材は、堅固なＬ字状のものであっては、旗の上辺とポール側縦辺とに設けた差込袋状部分に挿し込むことができないので、上辺と縦辺との中間部分にコイル状部分を設けて折り曲げることができるようにしている。
そのため、一本の線条材をコイル状に折り曲げ加工し、弾性を付与することが必須であり、特殊な加工工程が必要であった。
【０００７】
また特許文献２に示す技術では、風が吹いたときに、この風向きによって旗がポールを中心にして風の方向へ向き、大会の会場の正面から見えにくい状態になることがあるという欠点があった。
【０００８】
本発明は、従来の前記問題点に鑑みてこれを改良除去したものであって、大掛かりな付属設備や特殊加工を不要とし、しかも絶えず会場の正面から旗の全体を見ることのできる旗類の掲揚治具を安価に且つ簡単な構成で提供せんとするものである。
【課題を解決するための手段】
【０００９】
前記課題を解決するために本発明が採用した請求項１の手段は、掲揚ポールの上部側に滑車を備えた昇降ロープ吊下げ具を取り付け、前記滑車に架け渡した昇降ロープを用いて旗類を掲揚する治具であって、所定の長さを有する縦杆と、縦杆の左右両側面上部に取り付けられ、縦杆よりも掲揚ポール側に延出する一対の昇降ロープ挟持板と、縦杆の下部側に取り付けられた昇降ロープ案内具と、縦杆の上部に取り付けられ、前記昇降ロープ挟持板とは反対側へ延出する水平杆と、縦杆の上下方向数カ所に取り付けられたロープ固定用の係止部材とで構成したことを特徴とする旗類の掲揚治具である。
【００１０】
前記課題を解決するために本発明が採用した請求項２の手段は、旗類が掲揚された状態において、前記旗類の掲揚治具の上端面と、掲揚ポールの上部側に取り付けられた滑車を備えた昇降ロープ吊下げ具の下端面とが当接するようになっている前記請求項１に記載の旗類の掲揚治具である。
【発明の効果】
【００１１】
請求項１の発明にあっては、縦杆のポール側の面にロープを沿わせて、係止部材で複数箇所を固定することにより、掲揚治具の全体がロープに固定される。そして、縦杆の上部側に設けた昇降ロープ挟持板と、縦杆の下部側に設けた昇降ロープ案内具とで、上りロープ及び下りロープの二本を抱きかかえることにより、掲揚治具はその姿勢及び位置が略同じ状態に保たれる。旗類は、紐等で縦杆の途中及び水平杆に括り付ければよい。
これにより、旗類は、大会会場の正面側からその全体を真正面に見ることができ。そして、風向きが変わって場合でもその姿勢及び位置を保持することができる。
【００１２】
請求項２の発明にあっては、掲揚治具の上端面（昇降ロープ挟持板及び縦杆上端面）が、掲揚ポールに取り付けられた昇降ロープ吊下げ具の下端面に当接するので、風向きが変わって旗類が風の方向へ向こうとしてもそれを抑止する力となる。
【００１３】
これは、前記請求項１の昇降ロープ挟持板と、昇降ロープ案内板とによる上がりロープと下りロープの二本を抱きかかえることで、掲揚治具の姿勢及び位置を保持する効果と相俟って、風向きが変わっても掲揚治具の姿勢及び位置が変わらないようにする働きがあり、常に大会会場の正面側から旗類の全面が展延した状態で見ることができるようになる。
【図面の簡単な説明】
【００１４】
【図１】本発明の一実施の形態に係る旗類の掲揚治具を掲揚ポールへ掲げた状態を示す正面図である。
【図２】本発明の一実施の形態に係る旗類の掲揚治具に日本国国旗を括り付けて掲揚ポールへ掲げた状態を示す正面図である。
【図３】本発明の一実施の形態に係る旗類の掲揚治具に係るものであり、図１のＡ−Ａ線断面図である。
【発明を実施するための形態】
【００１５】
以下に、本発明の構成を図１乃至図３に示す一実施の形態に基づいて説明すると次の通りである。旗類を掲揚するポール１は、上端側に滑車２を備えた昇降ロープ吊下げ具３が取り付けられている。前記滑車２には、昇降ロープ４が架け渡されており、通常は地上側で作業員が昇降ロープ４のポール側のものを引き下げることで、ポール１とは反対側のロープに括り付けた旗を揚げるようにしている。図２は、日本国国旗５を揚げる動作の途中を示すものであり、あと数ｃｍで国旗掲揚が終了する状態である。また図１及び図２は、国旗を揚げる場合を示すものであり、同図の右側のロープを上りロープ４ａとし、ポール１側のロープを下りロープ４ｂとして説明する。
【００１６】
この実施の形態に係る旗類の掲揚治具６は、上りロープ４ａに取り付けられる縦杆７と、この縦杆７の上部側のポール１とは反対側に取り付けられた水平杆８とを有している。縦杆７は、例えば２０ｍｍ角の形鋼又は硬質の合成樹脂等で形成されており、掲揚する旗（日本国国旗）５の縦寸法よりも３０ｃｍ程度長く設定されている。これは旗５を取り付けたときであっても、縦杆７が略直立した姿勢を保つことができるようにするためである。詳細な説明については、後述する。水平杆８は、金属製の丸棒から成り、先端側を上面側に折り曲げてストッパー８ａを形成している。
【００１７】
前記縦杆７のポール１側には、縦杆７の左右両側面からポール１側へ向けて水平に延出する一対の昇降ロープ挟持板９ａ，９ｂが取り付けられている。取り付けは、ボルト１０及びナット１１を介して行われ、非使用時は分解して持ち運びに便利なようになされている。これらの昇降ロープ挟持板９ａ，９ｂの上端面は、縦杆７の上端面と面一になるようになされている。前記昇降ロープ挟持板９ａ，９ｂのうち、一方側のもの９ａには前記水平杆８の後端側が溶接により一体的に取り付けられている。
【００１８】
また縦杆７の途中数カ所には、昇降ロープ固定用の係止部材１２が取り付けられている。この場合、図３に示すように、係止部材１２は丸棒の一端側を鉤状に折り曲げ形成してフック部１２ａを形成しており、他端側は縦杆７を貫通してナット１３が羅着できるようになっている。また係止部材１２は縦杆７の中心からずれて位置しており、上りロープ４ａを係止したときに上りロープ４ａが縦杆７の中心に位置するようになされている。係止部材７は、この場合４個が設けられている。
【００１９】
更に、縦杆７の下部側には、昇降ロープ４の上りロープ４ａと下りロープ４ｂとの二本を挿通案内する昇降ロープ案内具１４が溶接等により取り付けられている。これはボルトナット形式で固定するようにしてもよい。また登山用具として汎用されているロープ等を繋ぐカラビナを利用することも可能である。カラビナを利用した場合は、バネ式の開閉具や螺子式のロック部品が装着されており、ワンタッチ形式でロープの取り外しができる上に、徒にロープが外れるということもない。
【００２０】
次に、このように構成された掲揚治具６により、旗類（日本国国旗）５をポール１へ掲揚する場合について説明する。なお、国旗５の大きさは、縦700×横1,050ｍｍの大きさを有し、全体の重量は150ｇである。先ず、地上において上りロープ４ａと下りロープ４ｂの二本を、縦杆７の上部側に取り付けた一対の昇降ロープ挟持板９ａ，９ｂの間を挿通させ、縦杆７の下部側においては、前記二本のロープ４ａ，４ｂをカラビナ等の昇降ロープ案内具１４の中へ手繰り寄せて挿通させる。
【００２１】
然る後は、縦杆７の上下方向数か所（図面は四か所）に設けた昇降ロープ固定用の係止部材１２で、上りロープ４ａを縦杆７へ固定する。固定は、係止部材１２の先端のフック部材１２ａで上りロープ４ａを引っ掛けて縦杆７の反対側でナット１３により締め付ければよい。これにより、縦杆７は強固に上りロープ４ａへ固定されることになり、縦杆７が上りロープ４ａからずり下がるということはない。
【００２２】
次に、掲揚する旗類（日本国国旗）５を準備し、国旗５の上部左右二箇所の隅角部と、ポール１側の下部隅角部の少なくとも三箇所に取り付けられている紐を利用して縦杆７及び水平杆８へ国旗５を括り付ける。国旗５を括り付けた状態で、縦杆７は、国旗５の下端側よりも下方へ略３０ｃｍ程度長く延出している。
【００２３】
このようにして、国旗５を括り付けた後は、上りロープ４ａにある程度のテンションを掛けながら下りロープ４ｂを徐々に引下げて国旗５の掲揚を開始する。このとき、国旗５の重さにより水平杆８及び縦杆７に時計方向の回転モーメントが発生し、縦杆７が斜めになって国旗５が垂下った状態になろうとする。
【００２４】
然しながら、掲揚治具６の縦杆７を国旗５よりも略３０ｃｍ程度長くして国旗５の下端から下方へ延出するように設定しているので、下りロープ４ｂの引下げ力と、上りロープ４ａのテンションとにより前記回転モーメントを打ち消す力が発生する。縦杆７が国旗５よりも下方へ延出する寸法を大きくする程、前記回転モーメントを打ち消す力は大きくなるが、見栄え上の問題もあり、あまり長く延出することは好ましくない。そのため、３０ｃｍ程度が適当であり、前記大きさと重量の旗類であれば、これで十分である。
【００２５】
このように国旗５による回転モーメントを打消し、これを解消しながら下りロープ４ｂを引下げ、上りロープ４ａにテンションをかけて国旗５を掲揚することにより、縦杆７は略垂直の状態を維持し、水平杆８は略水平の状態を維持しつつ国旗５が掲揚されることになる。つまり、国旗５はその全体が展延された正しい姿勢のままでポール１の下方から上端側まで引き上げられることになり、国旗掲揚の最初から最後まで国旗５は図２に示すように、大会会場の正面からその全体が綺麗に見えた状態で掲揚される。
【００２６】
国旗掲揚の最終段階では、掲揚治具６の上端面、すなわち、一対の昇降ロープ挟持板９ａ，９ｂ及び縦杆７の上端面が、ポール１に固定された昇降ロープ吊下げ具３の下端面に当接する。図１及び図２は、当接する直前の状態を示すものである。このようにして国旗５の掲揚が終了した後は、昇降ロープ４をクリート（ロープ掛け）に固定しておけばよい。
【００２７】
国旗掲揚後にあって、風向きが変わると、従来のロープに旗類を繋ぎ止める方式にあっては、旗類旗が風の吹く方向へ向きを変えてなびくので、大会会場の正面側からは掲揚した旗類が見えにくい状態となることがある。
【００２８】
本発明の実施形態にあっては、風向きに影響されずに、常に旗類を大会会場の正面側からその全体を見ることが出来る工夫がしてある。
その一つ目は、縦杆７の上部側において、前記一対の昇降ロープ挟持板９ａ，９ｂが上り下りの二本のロープ４ａ，４ｂを挟持していることである。これにより、風向きが変わった場合でも、昇降ロープ挟持板９ａ，９ｂが二本のロープ４ａ，４ｂに引っ掛かり、回り止めが実施される。
【００２９】
二つ目は、縦杆７の下部側において昇降ロープ案内具１４が上り下りの二本のロープ４ａ，４ｂを挿通案内していることである。これは、前記一つ目の理由と同じであり、二本のロープ４ａ，４ｂにより、回り止めが実施される。
【００３０】
三つ目は、掲揚治具６の上部側において、一対の昇降ロープ挟持板９ａ，９ｂ及び縦杆７の上端面が、ポール１に固定された昇降ロープ吊下げ具３の下端面に強く当接していることである。これらの当接による摩擦力により、旗類の回り止めが実施される。なお、この回り止めは、前記一つ目と二つ目の回り止めを補助する役目を担っており、必ずしも必要なものではない。
【００３１】
これらの三つの理由により、ポール１を中心にして国旗５が風の吹く方向へ向こうとすることが抑止され、回り止めがなされる。
つまり、本実施の形態にあっては、風向きが変わった場合であっても、大会会場の正面側から国旗５が常に展延された状態でその全体を見ることが可能である。
【００３２】
掲揚した日本国国旗５を下す場合は、前記昇降ロープ４のうちの下りロープ４ａにテンションをかけながら、上りロープ４ａを引下げていけばよい。この場合であっても、国旗５は展延された状態を維持しながら図２の姿勢のまま降下するので、終始全体を見ることが可能である。
【産業上の利用可能性】
【００３３】
ところで、本発明は上述した実施の形態に限定されるものではなく、適宜の変更が可能である。例えば、昇降ロープ挟持板９ａ，９ｂに、ポール１側の昇降ロープ吊下げ具３の側面に係止し得る突起又はリブを設けることにより、掲揚治具６が風向きに影響されずに、同じ位置を維持することがより確実となる。
また縦杆７及び水平杆８の材料及び形状等は、旗類を掲揚するのに適したものであればアルミ製やジュラルミン製、ステンレス製等もの、角柱状、角筒状、丸棒状、角棒等のものが適用可能である。
更に、国旗以外にも、社旗や、大会旗等の旗類を掲揚することが可能である。
【符号の説明】
【００３４】
１…ポール
２…滑車
３…昇降ロープ吊下げ具
４…昇降ロープ
４ａ…上りロープ
４ｂ…下りロープ
５…旗類（日本国国旗）
６…旗類の掲揚治具
７…縦杆
８…水平杆
９ａ，９ｂ…昇降ロープ挟持板
１２…係止部材
１４…昇降ロープ案内具
【要約】
【課題】大掛かりな付属設備や特殊加工を不要とし、無風状態であっても、会場の正面から旗の全体を見ることのできる旗類の掲揚治具を安価に且つ簡単な構成で提供せんとする。
【解決手段】縦杆のポール側の面にロープを沿わせて、係止部材で複数箇所を固定することにより、掲揚治具の全体をロープに固定する。そして、縦杆の上部側に設けた昇降ロープ挟持板と、縦杆の下部側に設けた昇降ロープ案内具とで、上りロープ及び下りロープの二本を抱きかかえることにより、掲揚治具の姿勢及び位置を、略同じ状態に保つ。旗類は、紐等で縦杆の途中及び水平杆に括り付ければよい。旗類は、大会会場の正面側からその全体を真正面に見ることができ。そして、風向きが変わって場合でもその姿勢及び位置を保持することができる。
【選択図】  図２【図１】
0005730435.tif 000002
【図２】
0005730435.tif 000003
【図３】
0005730435.tif 000004